(57)【要約】【課題】接極子ばねの押圧力をブロック体の軸方向に効率良く伝達させることの可能な電磁リレーを得る。【解決手段】接極子２２に伴って接極子ばね２３が揺動運動することにより、当該接極子ばね２３の押圧部２３ｂで一対のブロック体３３Ａ、３３Ｂを押し込み、このブロック体に設けた可動接点３３１、３３２を固定接点３５１、３５２、３５３に接触させる。このとき、接極子ばね２３の押圧部２３ｂがブロック体３３Ａ（３３Ｂ）を押圧する方向を、ブロック体３３Ａ、３３Ｂの軸方向に略一致させるようにする。【選択図】図３
2012133949.tif 000002
【特許請求の範囲】
【請求項１】
電磁石の作動により揺動する接極子と、前記接極子と一体に動作する接極子ばねと、前記接極子ばねに押圧されて交互に軸方向移動する一対のブロック体と、前記ブロック体にそれぞれ設けられる可動接点と、前記ブロック体の軸方向移動によって前記可動接点が接離自在な複数の固定接点と、を備えた電磁リレーにおいて、
前記接極子ばねの押圧部が前記ブロック体を押圧する方向を、前記ブロック体の軸方向に略一致させたことを特徴とする電磁リレー。
【請求項２】
前記押圧部を、前記接極子の動作時に常に前記ブロック体の略軸直角方向を保つ形状としたことを特徴とする請求項１に記載の電磁リレー。
【請求項３】
前記押圧部に、前記ブロック体の受圧部を受容する凹部を設けたことを特徴とする請求項１または２に記載の電磁リレー。
【発明の詳細な説明】
【技術分野】
【０００１】
本発明は、電磁リレーに関する。
【背景技術】
【０００２】
従来より、電磁石の作動によって揺動（シーソー運動）する接極子の動きを、可動接点を設けた一対のブロック体に伝達し、この一対のブロック体が交互に上下することにより、それぞれに設けた可動接点の一方が共通の固定接点と常開側の固定接点とをオン・オフし、他方が共通の固定接点と常閉側の固定接点とをオフ・オンする電磁リレーが知られている（例えば、特許文献１参照）。
【０００３】
このとき、接極子の動きをブロック体に伝達するにあたって、それら両者間には接極子ばねが介在され、この接極子ばねのばね力を介してブロック体を押圧して移動させるようになっている。接極子ばねは、長さ方向の中央部分が接極子に固定されており、接極子とともに動作（揺動）することによって、接極子ばねの両端部で一対のブロック体を交互に押圧するようになっている。
【先行技術文献】
【特許文献】
【０００４】
【特許文献１】特開２０１０−１２３５４６号公報
【発明の概要】
【発明が解決しようとする課題】
【０００５】
しかしながら、上記従来の電磁リレーでは、接極子とともに接極子ばねが揺動する際に、接極子ばねの両端部に設けられた押圧部は、揺動角の増大に伴って傾斜量が大きくなっていくのであるが、このとき、揺動角の増大に伴って接極子ばねとブロック体との接触位置が変化してしまう。そのため、その接触部分に摩擦が発生して摩耗が促進されてしまい、リレーの寿命に影響を及ぼしてしまう恐れがある。
【０００６】
また、このように接極子の揺動角の増大によって接極子ばねの傾斜量が変化することは、接極子ばねの押圧力がブロック体の軸方向に対して斜めに作用することになる。そのため、接極子ばねからブロック体に与える押圧力がブロック体の軸方向に対して減少することになり、接点圧力が減少してしまうなどの不具合が起きてしまう恐れがあった。
【０００７】
そこで、本発明は、接極子ばねの押圧力をブロック体の軸方向に効率良く伝達させることの可能な電磁リレーを得ることを目的とする。
【課題を解決するための手段】
【０００８】
上記目的を達成するために、本発明の電磁リレーにあっては、電磁石の作動により揺動する接極子と、前記接極子と一体に動作する接極子ばねと、前記接極子ばねに押圧されて交互に軸方向移動する一対のブロック体と、前記ブロック体にそれぞれ設けられる可動接点と、前記ブロック体の軸方向移動によって前記可動接点が接離自在な複数の固定接点と、を備えた電磁リレーにおいて、前記接極子ばねの押圧部が前記ブロック体を押圧する方向を、前記ブロック体の軸方向に略一致させたことを特徴とする。
【発明の効果】
【０００９】
本発明の電磁リレーによれば、押圧部がブロック体を押圧する方向をブロック体の軸方向に略一致させたことにより、接極子ばねでブロック体を押圧して可動接点を固定接点に接触させる際に、接極子ばねの押圧力をブロック体の軸方向に効率良く伝達させることができる。
【図面の簡単な説明】
【００１０】
【図１】図１は、本発明の第１実施形態にかかる電磁リレーの分解斜視図である。
【図２】図２は、第１実施形態の電磁リレーで、接極子ばねを取り付けた接極子を裏返して見た拡大斜視図である。
【図３】図３は、第１実施形態の電磁リレーのケースを除いた縦断面図である。
【図４】図４は、本発明の第２実施形態にかかる電磁リレーで、接極子ばねを取り付けた接極子を裏返して見た拡大斜視図である。
【図５】図５は、第２実施形態の電磁リレーのケースを除いた縦断面である。
【発明を実施するための形態】
【００１１】
以下、本発明の実施形態について図面を参照しつつ詳細に説明する。
【００１２】
［第１実施形態］
図１〜図３は、本発明の第１実施形態にかかる電磁リレー１を示した図である。
【００１３】
図１に示すように、電磁リレー１は、駆動部２と、信号伝送部３と、これら駆動部２および信号伝送部３を格納するケース４とを備えて構成されており、それらのうち、駆動部２は、電磁石ブロック２１と、接極子２２と、接極子ばね２３とによって構成されている。
【００１４】
電磁石ブロック２１は、鉄芯２１ｇ（図３参照）の外周にコイル２１ａを巻回した電磁石２１ｂと、この電磁石２１ｂの下側に配置した永久磁石２１ｃとを備え、電磁石２１ｂの両端を磁性材料で形成したボビン２１ｄで挟み固定することにより概ね構成される。コイル２１ａは、ボビン２１ｄの四隅から垂設される脚部２１ｅに設けられたコイル端子２１ｆに接続され、このコイル端子２１ｆから電力供給される。永久磁石２１ｃは、略平板状に形成され、両端部が共にＳ極となり、中央部よりも偏った部位がＮ極となるように３点着磁して、単安定動作を行わせるようにしている。また、永久磁石２１ｃは、両端部を前記鉄芯２１ｇの両端の磁極部の内側に位置するように配設して溶接によって固定されている。
【００１５】
接極子２２は、磁性材料によって電磁石２１ｂの平面形状内に収まる略矩形状をなす平板状に形成されており、その長さが電磁石２１ｂの長さと略等しくなっている。そして、接極子２２が永久磁石２１ｃの下側に所定間隔を設けて配置された状態で、接極子２２の両端部が電磁石２１ｂの両端磁極部に対応した位置関係となる。また、接極子２２の長手方向Ａの中央部両側には永久磁石２１ｃに当接する支点部２２ａが突設されており、接極子２２の両端部が電磁石２１ｂの両端磁極部の励磁・消磁により吸引・離反された際に、支点部２２ａを中心として接極子２２が揺動運動されるようになっている。
【００１６】
接極子ばね２３は、薄板の金属ばね材料で形成され、接極子２２の長手方向Ａに沿った略中央部に接極子２２方向（図中上方）にやや隆起する取付部２３ａと、同長手方向Ａ両端部に、後述する一対のブロック体３３Ａ、３３Ｂを押圧する押圧部２３ｂとが設けられている。取付部２３ａは、接極子２２の長手方向Ａの中央部の下面に固定されることにより、接極子２２の揺動運動に伴って揺動されるようになっている。
【００１７】
信号伝送部３は、グランド部材としてのサブベース３１と、このサブベース３１を覆うカバー３２と、コンタクトブロック３３と、復帰ばね３４と、ベース部としてのベースブロック３５とによって構成される。
【００１８】
サブベース３１は、全体が金属板で形成され、電磁石ブロック２１の平面形状に略沿った概略矩形状のベース本体面３１ａを有し、このベース本体面３１ａの周囲には、それぞれの辺から２本づつのグランド端子３１ｂがクランク状に折曲されて突設されている。また、ベース本体面３１ａの中央部には、コンタクトブロック３３の後述する一対のブロック体３３Ａ、３３Ｂを遊嵌状態で挿通する矩形状開口部３１ｃが中央振り分けで一対形成されている。更に、ベース本体面３１ａの四隅部には、電磁石ブロック２１のコイル端子２１ｅを挿通する円形開口部３１ｄが形成されている。
【００１９】
カバー３２は、合成樹脂などの絶縁材料で形成され、天板３２ａと側壁３２ｂとによってサブベース３１の上側を覆う扁平な箱型に形成されている。天板３２ａの中央部には、コンタクトブロック３３の一対のブロック体３３Ａ、３３Ｂを摺動自在に挿通するガイド孔３２ｃが形成されている。また、天板３２ａの長手方向Ｂの中央部両側には、接極子２２の支点部２２ａを揺動自在に係合して支持する支持部３２ｄが突設されている。更に、天板３２ａの四隅部には、電磁石ブロック２１の脚部２１ｅを載置した際の位置決め突起３２ｅが突設されているとともに、この位置決め突起３２ｅに隣接してコイル端子２１ｆを挿通する角孔３２ｆが形成されている。
【００２０】
コンタクトブロック３３は、一対のブロック体３３Ａ、３３Ｂを有し、それぞれのブロック体３３Ａ、３３Ｂの下端部には、一方のブロック体３３Ａに可動接点３３１が固定されるとともに、他方のブロック体３３Ｂに可動接点３３２が固定されることにより構成される。ブロック体３３Ａ、３３Ｂは、合成樹脂などの絶縁材料によって断面矩形状の柱状に形成されており、頂部には接極子ばね２３の押圧部２３ｂに当接する受圧部としての凸部３３ｃが設けられている。そして、それぞれのブロック体３３Ａ、３３Ｂは、サブベース３１の下方から矩形状開口部３１ｃに挿通された後、カバー３２のガイド孔３２ｃに挿通され、凸部３３ｃが接極子ばね２３の押圧部２３ｂに臨むようになっている。
【００２１】
可動接点３３１、３３２は、板状の導電性材料によって形成され、それぞれのブロック体３３Ａ、３３Ｂの底部近傍をカバー３２の長手方向Ｂに沿った方向に貫通して一体化されている。このとき、それぞれの可動接点３３１、３３２は、ブロック体３３Ａ、３３Ｂの両側から所定長さをもって突出しており、この突出部分はサブベース３１のベース本体面３１ａと平行に配置されている。
【００２２】
復帰ばね３４は、一対のブロック体３３Ａ、３３Ｂに対応して一対設けられ、それぞれが薄板の金属ばね材料によって、接触子２２の長手方向Ａに対して直交方向が長手方向Ｃとなる短冊状に形成されている。それぞれの復帰ばね３４は、全体的にやや上方に湾曲形成されており、長手方向Ｃ両端部には上方に立ち上がる折曲部３４ａが形成されている。また、湾曲した復帰ばね３４の最上位置となる中央部には、ブロック体３３Ａ、３３Ｂの下端が当接するようになっており、その当接位置に開口３４ｂが形成されている。また、この開口３４ｂを挟んで復帰ばね３４の両端部側には、ばね力を調整する細長開口３４ｃが打ち抜かれている。
【００２３】
ベースブロック３５は、合成樹脂などの絶縁材料によって、全体的にカバー３２の天板３２ａの平面形状に略沿った厚肉矩形状に形成されている。ベースブロック３５の中央部には、長手方向Ｄに対する直交方向の幅が復帰ばね３４の長手方向Ｃの長さに略等しい矩形状の広域凹部３５ａが形成されている。また、広域凹部３５ａのベースブロック３５の長手方向Ｄに沿った両端部には、一対の復帰ばね３４の収納スペース３５ｂが設けられている。そして、この収納スペース３５ｂに復帰ばね３４が収納された際、復帰ばね３４の両端折曲部３４ａが広域凹部３５ａの両側内面に当接して位置決めされる。
【００２４】
また、一対の収納スペース３５ｂ間には、ベースブロック３５の周縁部３５ｃの厚さｔよりも一段低くなる座部３５ｄが広域凹部３５ａの底面から隆起されている。この座部３５ｄの長手方向Ｄの両側と、広域凹部３５ａの長手方向Ｄの両端とによっても復帰ばね３４が位置決めされている。また、広域凹部３５ａの長手方向Ｄに沿った両端側の周縁部３５ｃには、座部３５ｄと同一高さとなる底面を有する一対の凹設部３５ｅが設けられている。
【００２５】
そして、座部３５ｄの上面には共通（ＣＯＭ側）の固定接点３５１が配置され、かつ、一対の凹設部３５ｅのうち一方の凹設部３５ｅの底面上には常閉（ＮＣ側）用の固定接点３５２が配置されるとともに、他方の凹設部３５ｅの底面上には常開（ＮＯ側）用の固定接点３５３が配置される。
【００２６】
このとき、それぞれの固定接点３５１、３５２、３５３の上側がサブベース３１の金属製のベース本体面３１ａで全体的に覆われることにより、シールド性を発揮して高周波特性の向上を図ることができるようになっている。
【００２７】
また、それぞれの固定接点３５１、３５２、３５３の上面は同一の高さ面となっており、ＣＯＭ側とＮＣ側の２つの固定接点３５１、３５２に跨って他方のブロック体３３Ｂの可動接点３３２が接触可能であり、また、ＣＯＭ側とＮＯ側の２つの固定接点３５１、３５３に跨って一方のブロック体３３Ａの可動接点３３１が接触可能となっている。また、それぞれの固定接点３５１、３５２、３５３から延長される部分は、周縁部３５ｃ内を貫通してベースブロック３５の外方に突出し、その延長される部分が固定接点端子３５１ａ、３５２ａ、３５３ａとなっている。
【００２８】
また、ベースブロック３５の外周には、サブベース３１のグランド端子３１ｂを配置するための複数の凹所３５ｆが設けられている。そして、ベースブロック３５の四隅部には、電磁石ブロック２１のコイル端子２１ｅを挿通する円形開口部３５ｇが形成されている。
【００２９】
ケース４は、全体が直方体状の下端が開放された筺型として金属で形成され、駆動部２および信号伝送部３を上方から全体的に覆って収納するようになっている。ケース４の下端部は収納したベースブロック３５の外周に密接して嵌合され、その嵌合部分がシール剤によってシールされる。そして、ケース４によって駆動部２および信号伝送部３を覆った際に、ケース４の内側天面に電磁石ブロック２１のボビン２１ｄを当接させて、駆動部２および信号伝送部３が全体的に位置決めされるようになっている。
【００３０】
このように構成された電磁リレー１は、コイル２１ａに通電することにより電磁石２１ｂが励磁される。これにより、電磁石２１ｂの鉄芯２１ｇの一端磁極部に発生する磁力により、接極子２２のそれに対応した一端部が吸引されて、支点部２２ａを中心として揺動運動をする。すると、接極子２２に固定された接極子ばね２３も一体となって揺動し、吸引された側とは反対側の押圧部２３ｂが、一方のブロック体３３Ａの凸部３３ｃをばね力をもって押圧することにより、その一方のブロック体３３Ａを復帰ばね３４のばね力に抗して押し下げる。このとき、他方のブロック体３３Ｂは、復帰ばね３４のばね力で押し上げられる。もちろん、接極子ばね２３のばね力は復帰ばね３４のばね力よりも大きく設定されている。
【００３１】
そして、一方のブロック体３３Ａが押し下げられることにより、可動接点３３１がＣＯＭ側の固定接点３５１とＮＯ側の固定接点３５３とに接触し、それら両接点３５１、３５３を短絡する。また、他方のブロック体３３Ｂが押し上げられることにより、可動接点３３２がＣＯＭ側の固定接点３５１とＮＣ側の固定接点３５２とから離反し、それら両接点３５１、３５２の短絡を解除する。
【００３２】
次に、コイル２１ａへの通電を遮断することにより電磁石２１ｂが消磁される。すると、接触子２２の他端部が永久磁石２１ｃの磁力をもって鉄芯２１ｇの他端磁極部に吸引されるとともに、接触子２２の一端部が鉄芯２１ｇの一端磁極部から離反されることにより、接触子２２は上述した通電時とは逆に揺動運動する。これにより、他方のブロック体３３Ｂが接極子ばね２３のばね力で押し下げられるとともに、一方のブロック体３３Ａが復帰ばね３４のばね力で押し上げられる。したがって、他方の可動接点３３２がＣＯＭ側の固定接点３５１とＮＣ側の固定接点３５２とに接触して両接点を短絡し、一方の可動接点３３１がＣＯＭ側の固定接点３５１とＮＯ側の固定接点３５３とから離反して両接点の短絡を解除する。
【００３３】
このように、接極子２２の揺動に伴ってコンタクトブロック３３の一対のブロック体３３Ａ、３３Ｂが交互に上下移動する際に、これらブロック体３３Ａ、３３Ｂのいずれか片方が復帰ばね３４のばね力で押し上げられる。このとき、持ち上げられた片方の可動接点３３１、３３２は、復帰ばね３４のばね力でサブベース３１の下面に圧接して、接点間の絶縁特性を確保できるようになっている。
【００３４】
上述した電磁リレー１は、当該電磁リレー１を図示省略した基板に実装するにあたって、ＣＯＭ用、ＮＣ用およびＮＯ用のそれぞれの固定接点端子３５１ａ、３５２ａ、３５３ａおよびグランド端子３１ｂを、基板に貫通させることなく表面実装するために、それぞれの端子がクランク状に折曲されている。
【００３５】
すなわち、固定接点端子３５１ａ、３５２ａ、３５３ａは、固定接点３５１、３５２、３５３から突出される部分に、ベースブロック３５の実装面（図１中下面）に対して略直角方向（図中下方）に折曲させる一段目折曲部Ｂ１（図３参照）と、それぞれの端子３５１ａ、３５２ａ、３５３ａの先端部をベースブロック３５の実装面に沿う方向に折曲させて基板表面に実装可能とする二段目折曲部Ｂ２と、によってクランク状に折曲されている。また、グランド端子３１ｂにあっても同様に、一段目折曲部Ｃ１（図１参照）と二段目折曲部Ｃ２とによってクランク状に折曲されている。
【００３６】
ところで、接極子２２の揺動運動でブロック体３３Ａ（３３Ｂ）を押し下げるにあたって、接極子ばね２３の両端部に押圧部２３ｂを設けることを上述したが、本実施形態の押圧部２３ｂは、接極子ばね２３の両端部に形成される開口部２３ｃの内側に配置されるようになっている。
【００３７】
すなわち、接極子ばね２３は、図２に示すように、全体の外側形状が略矩形状に形成されており、接極子２２への取付部２３ａを挟んで接極子２２の長さ方向Ａの両側に開口部２３ｃを備えている。そして、この開口部２３ｃが形成された接極子ばね２３の両端縁部２３ｄの中央部から、連結部２３ｅを介して押圧部２３ｂが開口部２３ｃの内側に突出して設けられている。
【００３８】
したがって、接極子２２の揺動運動が、接極子ばね２３を介してブロック体３３Ａ（３３Ｂ）に伝達される際には、接極子ばね２３の全体的なばね力と、連結部２３ｅのばね力と、押圧部２３ｂ自体のばね力とが関係することになる。
【００３９】
ここで、本実施形態では、図３に示すように、接極子ばね２３の押圧部２３ｂがブロック体３３Ａ（３３Ｂ）を押圧する方向を、ブロック体３３Ａ（３３Ｂ）の軸方向に一致させるようにしている。具体的には、押圧部２３ｂを、接極子２２の動作時（揺動運動時）に常にブロック体３３Ａ（３３Ｂ）の軸直角方向を保つ形状としてある。なお、図３では押圧部２３ｂが他方のブロック体３３Ｂを押圧する状態で示してあるが、押圧部２３ｂが反対に揺動した場合には押圧部２３ｂが一方のブロック体３３Ａを押圧することになり、押圧部２３ｂがいずれのブロック体３３Ａ（３３Ｂ）を押圧する場合にも、押圧部２３ｂは常にブロック体３３Ａ（３３Ｂ）の軸直角方向を保つ形状となっている。
【００４０】
すなわち、接極子ばね２３が接極子２２に伴って揺動して全体的に傾いた場合にも、押圧部２３ｂの面方向は、接極子ばね２３の全体的な撓みと、連結部２３ｄの撓みと、押圧部２３ｂ自体の撓みとを伴って、ブロック体３３Ａ（３３Ｂ）の軸直角方向、つまり、ブロック体３３Ａ（３３Ｂ）の凸部３３ｃの頂点に対する接線方向が保持されるようになっている。
【００４１】
ところで、本実施形態の場合、このように押圧部２３ｂの面方向をブロック体３３Ａ（３３Ｂ）の軸直角方向に保持させるにあたって、復帰ばね３４のばね力との兼ね合いで行われる。つまり、接極子２２の揺動角が大きくなってブロック体３３Ａ（３３Ｂ）の押し込み量が大きくなると、その分、復帰ばね３４のばね力による反力が増大する。したがって、実際には、押圧部２３ｂの面方向は、上述した接極子ばね２３の全体的な撓みと、連結部２３ｄの撓みと、押圧部２３ｂ自体の撓みと、復帰ばね３４の反力とを総合して決定されるようになっている。
【００４２】
以上の構成により、本実施形態の電磁リレー１によれば、押圧部２３ｂがブロック体３３Ａ（３３Ｂ）を押圧する方向を、ブロック体３３Ａ（３３Ｂ）の軸方向に略一致させるようにしている。これにより、接極子ばね２３でブロック体３３Ａ（３３Ｂ）を押圧して可動接点３３１、３３２を固定接点３５１、３５２、３５３に接触させる際に、接極子ばね２３の押圧力をブロック体３３Ａ（３３Ｂ）の軸方向に効率良く伝達させることができる。
【００４３】
また、接極子ばね２３の押圧部２３ｂを、接極子２２の揺動運動時に常にブロック体３３Ａ（３３Ｂ）の略軸直角方向を保つ形状としている。したがって、接極子ばね２３の押圧力をブロック体３３Ａ（３３Ｂ）の軸方向に効率良く伝達させることができ、可動接点３３１、３３２と固定接点３５１、３５２、３５３の接点圧力が減少してしまうなどの不具合を抑制して、信頼性の高い電磁リレー１を提供することができる。すなわち、従来では接極子ばねの押圧力の作用方向がブロック体の軸方向に対して斜めになることにより、ブロック体を軸方向に案内支持する貫通孔に対してこじりが発生し、これにより、ブロック体は軸方向の移動が不安定になって、可動接点の動作の安定性が損なわれていたが、本実施形態では、ブロック体３３Ａ（３３Ｂ）のこじれを防止してブロック体３３Ａ（３３Ｂ）をより安定的に移動させることができるため、可動接点３３１、３３２の動作の安定性をより向上できる。
【００４４】
また、本実施形態では、接極子ばね２３の押圧部２３ｂとブロック体３３Ａ（３３Ｂ）の凸部３３ｃとの接触部の位置変化が無くなることにより、それら両者間の相対的な摩擦が発生しないため、摩耗を低減して電磁リレー１の寿命を長くすることができる。
【００４５】
［第２実施形態］
図４および図５は、本発明の第２実施形態にかかる電磁リレー１Ａを示した図であり、上記第１実施形態と同一構成部分に同一符号を付して重複する説明を省略して述べるものとする。
【００４６】
本実施形態の電磁リレー１Ａが上記第１実施形態の電磁リレー１と主に異なる点は、接極子ばね２３の押圧部２３ｂに、ブロック体３３Ａ（３３Ｂ）の凸部３３ｃを受容する凹部２３ｆを設けたことにある。
【００４７】
すなわち、ブロック体３３Ａ（３３Ｂ）の受圧部である凸部３３ｃは、本実施形態では図１に示すように、ブロック体３３Ａ（３３Ｂ）の上面中央部に蒲鉾状に突設されており、この凸部３３ｃの先端に接極子ばね２３の押圧部２３ｂが当接するようになっている。そして、押圧部２３ｂに設けられる上記凹部２３ｆは、凸部３３ｃの先端部の外側形状に沿いつつ、余裕をもって受容できる大きめの形状として凹設されている。
【００４８】
したがって、第２実施形態の電磁リレー１Ａによれば、接極子ばね２３の押圧部２３ｂがブロック体３３Ａ（３３Ｂ）の凸部３３ｃに当接して押圧力を付加する際、押圧部２３ｂの凹部２３ｆに凸部３３ｃが安定的に受容されるので、ブロック体３３Ａ（３３Ｂ）の軸方向移動をより安定化させ、ひいては可動接点３３１、３３２の動作を更に安定化させることができる。
【００４９】
以上、本発明の好適な実施形態について説明したが、本発明は上記実施形態には限定されず、種々の変形が可能である。
【００５０】
例えば、駆動部や信号伝送部の構造は上述した実施形態に限ることなく、電磁方式の駆動部によってコンタクトブロックを駆動する際、接極子ばねを介してブロック体を押圧する方式の電磁リレーであれば本発明を適用することができる。
【符号の説明】
【００５１】
１、１Ａ  電磁リレー
２１ｂ  電磁石
２２  接極子
２３  接極子ばね
２３ｆ  凹部
３３  コンタクトブロック
３３Ａ、３３Ｂ  ブロック体
３３ｃ  凸部（受圧部）
３３１、３３２  可動接点
３５１、３５２、３５３  固定接点
【図１】
2012133949.tif 000003
【図２】
2012133949.tif 000004
【図３】
2012133949.tif 000005
【図４】
2012133949.tif 000006
【図５】
2012133949.tif 000007